(57)【要約】【課題】天井の吊下げ金具に引っ掛かる引っ掛け部分を支点として、モータ回転軸と直交する平面上で天井扇風機が回転する回転運動を低減することを目的とする。【解決手段】本発明は、天井に固定された吊下げ金具２に係合可能な引っ掛け部分７を有した係合部３を設け、引っ掛け部分７は、Ｊ形状の切り欠きであり、第１の切り欠き９と、第２の切り欠き１０と、第３の切り欠き１１とを備えており、第３の切り欠き１１の上部には、モータ部の遥動を抑制する遥動抑制部材１２を設けることにより、天井扇風機に作用する重力によって、遥動抑制部材１２を天井の吊下げ金具２に常時押し付けることができるので、遥動抑制部材１２と天井の吊下げ金具２との摩擦抵抗が増加させることが可能となる。【選択図】図３
2018119451.tif 000002
【特許請求の範囲】
【請求項１】
モータ部と、
前記モータ部により回転する羽根部と、
前記モータ部から上方へ延びた支柱部と、
前記支柱部の上部に設けた天井の吊下げ金具に吊下げる係合部とを備え、
前記係合部は、
前記支柱部と連結する連結部分と、
天井の前記吊下げ金具に引っ掛かる引っ掛け部分とを備え、
前記引っ掛け部分は、前記モータ部の遥動を抑制する遥動抑制部材を備えたことを特徴とする天井扇風機。
【請求項２】
前記係合部は、筒形状であり、
前記引っ掛け部分は、
前記係合部における中心軸を挟むように対に設けられ、
前記係合部の上端部から下方に延びた第１の切り欠きと、
前記第１の切り欠きの下部から横方向に延びた第２の切り欠きと、
前記第２の切り欠きの先端部から上方へ延びた第３の切り欠きとを備え、
前記遥動抑制部材は、
前記第３の切り欠きの上端部に設けたことを特徴とする請求項１に記載の天井扇風機。
【請求項３】
前記モータ部は、前記羽根部を前記支柱部の中心軸を回転軸として第１の方向へ回転させ、
前記係合部の前記第２の切り欠きは、前記第１の切り欠きの下部から前記第１の方向と逆方向である第２の方向へ延び、
前記遥動抑制部材は、前記第３の切り欠きにおける前記第２の方向側の端部に設けた第４の切り欠きであり、
前記係合部が第１の方向に回転すると前記第４の切り欠きの端部は、天井の前記吊下げ金具と複数個所で接触することを特徴とする請求項２に記載の天井扇風機。
【請求項４】
天井の前記吊下げ金具の断面形状は円形であり、
前記第４の切り欠きは、第１の端部と第２の端部とを備え、
前記第１の端部と前記第２の端部とが成す角度は鋭角であり、
前記第１の端部と前記第２の端部との交点は、前記第３の切り欠きより上方に配置されたことを特徴とする請求項３に記載の天井扇風機。
【発明の詳細な説明】
【技術分野】
【０００１】
本発明は、天井から吊り下げられた天井扇風機に関する。
【背景技術】
【０００２】
従来、この種の天井扇風機の構成は、以下のようになっていた。
【０００３】
すなわち、モータ部と、モータ部により回転する羽根部と、モータ部から上方へ延びた支柱部と、支柱部の上部に設けた天井の吊下げ金具に吊下げる係合部とを備えていた。係合部は、支柱部と連結する連結部分と、天井の吊下げ金具に引っ掛かる引っ掛け部分とを備えた構成となっていた。
【先行技術文献】
【特許文献】
【０００４】
【特許文献１】特開２０１３−２１７２７３号公報
【発明の概要】
【発明が解決しようとする課題】
【０００５】
上記従来例における課題は、天井の吊下げ金具に引っ掛かる引っ掛け部分を支点として、モータ回転軸と直交する平面上で天井扇風機が回転する回転運動を行う場合があることであった。
【０００６】
すなわち、天井扇風機は、モータ部の駆動力により複数枚の羽根部を回転させるが、羽根部が回転している時に天井扇風機に風が当たり揺れると、天井の吊下げ金具に引っ掛かる係合部を支点として、モータ回転軸と直交する平面上で天井扇風機が回転運動をする場合があった。
【０００７】
そこで、本発明は、天井の吊下げ金具に引っ掛かる引っ掛け部分を支点として、モータ回転軸と直交する平面上で天井扇風機が回転する回転運動を低減することを目的とするものである。
【課題を解決するための手段】
【０００８】
そして、この目的を達成するために、本発明は、モータ部と、前記モータ部により回転する羽根部と、前記モータ部から上方へ延びた支柱部と、前記支柱部の上部に設けた天井の吊下げ金具に吊下げる係合部とを備え、前記係合部は、前記支柱部と連結する連結部分と、天井の前記吊下げ金具に引っ掛かる引っ掛け部分とを備え、前記引っ掛け部分は、前記モータ部の遥動を抑制する遥動抑制部材を備えたことを特徴としたものであり、これにより所期の目的を達成するものである。
【発明の効果】
【０００９】
本発明によれば、モータ部と、前記モータ部により回転する羽根部と、前記モータ部から上方へ延びた支柱部と、前記支柱部の上部に設けた天井の吊下げ金具に吊下げる係合部とを備え、前記係合部は、前記支柱部と連結する連結部分と、天井の前記吊下げ金具に引っ掛かる引っ掛け部分とを備え、前記引っ掛け部分は、前記モータ部の遥動を抑制する遥動抑制部材を備えたことを特徴としたものであり、遥動抑制部材と天井の吊下げ金具とが接触し、摩擦抵抗が大きくなり、天井の吊下げ金具に引っ掛かる引っ掛け部分を支点として、モータ回転軸と直交する平面上で天井扇風機が回転する回転運動を、低減することができるものである。
【図面の簡単な説明】
【００１０】
【図１】本発明の実施の形態の天井扇風機の側面図
【図２】同天井扇風機の吊下げ金具と係合部を示す側面図
【図３】同天井扇風機の吊下げ金具と係合部を示す斜視図
【図４】同天井扇風機の吊下げ金具と係合部を示す斜視図
【発明を実施するための形態】
【００１１】
本発明の請求項１記載の天井扇風機は、モータ部と、前記モータ部により回転する羽根部と、前記モータ部から上方へ延びた支柱部と、前記支柱部の上部に設けた天井の吊下げ金具に吊下げる係合部とを備え、前記係合部は、前記支柱部と連結する連結部分と、天井の前記吊下げ金具に引っ掛かる引っ掛け部分とを備え、前記引っ掛け部分は、前記モータ部の遥動を抑制する遥動抑制部材を備えた構成を有する。
【００１２】
これにより、遥動抑制部材によって、天井の吊下げ金具に引っ掛かる引っ掛け部分を支点として、モータ回転軸と直交する平面上で天井扇風機が回転する回転運動を低減することができるという効果を奏する。
【００１３】
また、前記係合部は、筒形状であり、前記引っ掛け部分は、前記係合部における中心軸を挟むように対に設けられ、前記係合部の上端部から下方に延びた第１の切り欠きと、前記第１の切り欠きの下部から横方向に延びた第２の切り欠きと、前記第２の切り欠きの先端部から上方へ延びた第３の切り欠きとを備え、前記遥動抑制部材は、前記第３の切り欠きの上端部に設ける構成としてもよい。
【００１４】
これにより、前記遥動抑制部材を前記第３の切り欠きの上端部に設けることにより、天井扇風機に作用する重力によって、前記遥動抑制部材を天井の前記吊下げ金具に常時押し付けることができるので、前記遥動抑制部材と天井の前記吊下げ金具との摩擦抵抗が大きくなり、天井の吊下げ金具に引っ掛かる引っ掛け部分を支点として、モータ回転軸と直交する平面上で天井扇風機が回転する回転運動を低減することができるという効果を奏する。
【００１５】
また、前記モータ部は、前記羽根部を前記支柱部の中心軸を回転軸として第１の方向へ回転させ、前記係合部の前記第２の切り欠きは、前記第１の切り欠きの下部から前記第１の方向と逆方向である第２の方向へ延び、前記遥動抑制部材は、前記第３の切り欠きにおける前記第２の方向側の端部に設けた第４の切り欠きであり、前記係合部が第１の方向に回転すると前記第４の切り欠きの端部は、天井の前記吊下げ金具と複数個所で接触する構成としてもよい。
【００１６】
これにより、天井扇風機運転時の反トルクにより、前記係合部は第１の方向に回転しようとするため、前記係合部の前記第４の切り欠きが天井の前記吊下げ金具に接触する。前記遥動抑制部材を天井の前記吊下げ金具に複数個所で常時押し付けることができるので、前記遥動抑制部材と天井の前記吊下げ金具との摩擦抵抗が大きくなり、天井の吊下げ金具に引っ掛かる引っ掛け部分を支点として、モータ回転軸と直交する平面上で天井扇風機が回転する回転運動を低減することができるという効果を奏する。
【００１７】
また、天井の前記吊下げ金具の断面形状は円形であり、前記第４の切り欠きは、第１の端部と第２の端部とを備え、前記第１の端部と前記第２の端部とが成す角度は鋭角である構成としてもよい。
【００１８】
これにより、天井扇風機運転時の反トルクにより、前記第２の切り欠きの方向に前記第１の端部と前記第２の端部が回転しようとするため、前記第１の端部と前記第２の端部が天井の前記吊下げ金具に押し付けられ、なおかつ、前記第１の端部と前記第２の端部とが成す角度を鋭角にすることにより、天井の前記吊下げ金具の太さに依存せず、前記第１の端部と前記第２の端部が天井の前記吊下げ金具に押し付けられるので、前記遥動抑制部材と天井の前記吊下げ金具との摩擦抵抗が大きくなり、天井の吊下げ金具に引っ掛かる引っ掛け部分を支点として、モータ回転軸と直交する平面上で天井扇風機が回転する回転運動を低減することができるという効果を奏する。
【００１９】
以下、本発明の実施の形態について図面を参照しながら説明する。
【００２０】
（実施の形態）
図１は本発明の実施の形態の天井扇風機の概要を示す図である。
【００２１】
図１に示すように、天井１には、曲率を有す吊下げ金具２が固定され、吊下げ金具２に天井扇風機が吊下げられる。吊下げ金具の一例は、円柱形状の金属の中央部を円弧形状に曲げ、両端を天井に固定したものである。
【００２２】
天井扇風機は、吊下げ金具２を介して係合可能な係合部３と、係合部３に連結された例えばパイプ形状の支柱部４と、支柱部４下端に取り付けられたモータ部５と、モータ部によって駆動する羽根部６とを備えている。モータ部５は、支柱部４の中心軸を回転軸として羽根部６を第１の方向へ回転させる。第１の方向は、モータ部５を上方から見て、時計回りである。  図２は本発明の実施の形態の吊下げ金具と係合部の概要を示す図である。図３は本発明の実施の形態の吊下げ金具と係合部の概要を示す外観斜視図である。
【００２３】
図２、図３、図４に示すように、係合部３は、支柱部４より一回り大きい円筒形状であり、上部には吊下げ金具２に係合する引っ掛け部分７を備え、下部には支柱部４を連結する連結部分８を備えている。支柱部４は、ボルト８ａ、ナット８ｂによって係合部３の連結部分８に固定されている。
【００２４】
引っ掛け部分７は、Ｊ形状の切り欠きであり、第１の切り欠き９と、第２の切り欠き１０と、第３の切り欠き１１とを備えている。なお、引っ掛け部分７は、係合部３における中心軸を挟むように対に設けられている。引っ掛け部分７は、係合部の３中心軸に対して点対称の位置に二つ存在する。
【００２５】
第１の切り欠き９は、係合部３の上端部から下方に延びた縦長四角形状の切り欠きである。
【００２６】
第２の切り欠き１０は、第１の切り欠き９の下部から横方向に延びた横長四角形状の切り欠きである。第２の切り欠き１０は、第１の切り欠き９の下部から第１の方向と逆方向である第２の方向へ延びている。第２の方向は、吊下げ金具２を上方から見て、時計回りである。
【００２７】
第３の切り欠き１１は、第２の切り欠き１０の先端部から上方へ延びた縦長四角形状の切り欠きである。第２の切り欠き１０における一方側（吊下げ金具２を側方から見て右側）には第１の切り欠き９を備え、第２の切り欠き１０における他方側（吊下げ金具２を側方から見て左側）には第３の切り欠き１１を備えている。
【００２８】
以上の構成において、天井１に固定された吊下げ金具２に天井扇風機を吊るす方法について説明する。まず、天井扇風機の係合部３の上端に設けられた第１の切り欠き９に、天井１に固定された吊下げ金具２を通す。次に、係合部３を第２の方向に回転させることにより、吊下げ金具２を第２の切り欠き１０に通す。最後に、係合部３を鉛直下向きに移動させることで吊下げ金具２を第３の切り欠き１１の上端部に引っ掛かる。これにより、天井扇風機は、吊下げ金具２に係合部３が吊り下がった状態となる。
【００２９】
本実施形態における特徴は、引っ掛け部分７に、モータ部の遥動を抑制する遥動抑制部材１２を備えた点である。遥動抑制部材１２は、第３の切り欠き１１の上端部に設けられている。
【００３０】
このように、遥動抑制部材１２を第３の切り欠き１１の上端部に設けることにより、天井扇風機に作用する重力によって、遥動抑制部材１２を天井の吊下げ金具２に常時押し付けることができるので、遥動抑制部材１２と天井の吊下げ金具２との摩擦抵抗が大きくなり、天井の吊下げ金具に引っ掛かる引っ掛け部分を支点として、モータ回転軸と直交する平面上で天井扇風機が回転する回転運動を低減することができる。
【００３１】
遥動抑制部材１２は、第３の切り欠き１１における第２の方向側の端部に設けた第４の切り欠き１３である。第４の切り欠き１３の端部は、天井の吊下げ金具と複数個所で接触する。
【００３２】
これにより、天井扇風機運転時の反トルクにより、係合部３は第１の方向に回転しようとするため、係合部３の第４の切り欠き１３が天井の吊下げ金具に接触する。遥動抑制部材である第４の切り欠き１３を天井の吊下げ金具２に複数個所で常時押し付けることができるので、遥動抑制部材と天井の吊下げ金具との摩擦抵抗が大きくなり、天井の吊下げ金具に引っ掛かる引っ掛け部分を支点として、モータ回転軸と直交する平面上で天井扇風機が回転する回転運動を低減することができる。
【００３３】
具体的には、第４の切り欠き１３は、三角形状の切り欠きであり、第３の切り欠き１１における第２の方向側の端部から、第２の方向へ斜め上方に延びている。第４の切り欠き１３は、第１の端部１４と第２の端部１５とを備え、第１の端部１４と第２の端部１５とが成す角度は鋭角である。第１の端部１４と第２の端部１５との交点は、第３の切り欠き１１より上方に配置されている。
【００３４】
すなわち、第４の切り欠き１３は第１の端部１４と、第２の端部１５で鋭角に構成されているので、吊下げ金具２は第４の切り欠き１３において複数個所で接触することができる。更に、重力に従い吊下げ金具２が第４の切り欠き１３に係合しているため、吊下げ金具２は常に第４の切り欠き１３に押し付けられることができる。その上、天井扇風機運転時の反トルクにより第２の切り欠き１０の方向に第１の端部１４と第２の端部１５が回転しようとするため、第１の端部１４と第２の端部１５が吊下げ金具２に押し付けられることができる。また、吊下げ金具の断面形状は円形であり、第１の端部１４と第２の端部１５とが成す角度が鋭角なので、吊下げ金具２の太さに依存せずに第１の端部１４と第２の端部１５が吊下げ金具２に押し付けられることができる。
【産業上の利用可能性】
【００３５】
本発明は家庭用や事務所用などの天井扇風機として有用である。
【符号の説明】
【００３６】
１    天井
２    吊下げ金具
３    係合部
４    支柱部
５    モータ部
６    羽根部
７    引っ掛け部分
８    連結部分
８ａ    ボルト
８ｂ    ナット
９    第１の切り欠き
１０    第２の切り欠き
１１    第３の切り欠き
１２    遥動抑制部材
１３    第４の切り欠き
１４    第１の端部
１５    第２の端部
【図１】
2018119451.tif 000003
【図２】
2018119451.tif 000004
【図３】
2018119451.tif 000005
【図４】
2018119451.tif 000006